(57)【要約】【課題】お薬手帳の不携帯を抑止できる手提げ袋を提供する。【解決手段】手提げ袋は、マチを有さない平袋であって、正面シート２１と背面シート２２とから構成される袋体２０と、正面シート２１の開口部１１側の端部の略中央に設けられる収納部４０と、を備える。袋体２０には、処方された薬やその薬についての説明書が収納される。収納部４０には、お薬手帳が収納される。収納部４０は、収容されたお薬手帳が外部から視認できるよう構成されている。【選択図】図１
2014181060.tif 000002
【特許請求の範囲】
【請求項１】
正面シートと背面シートとによって構成される袋体と、
前記正面シートの開口部側の端部に設けられる収納部と、を備え、
前記収納部は、外部から収納物を視認できるよう構成されていることを特徴とする手提げ袋。
【請求項２】
前記袋体の開口部と前記収納部の開口部とを閉じるための係合ベルトをさらに備えることを特徴とする請求項１に記載の手提げ袋。
【請求項３】
前記係合ベルトは、一端は前記収納部に固定され、他端は前記背面シートの開口部側に設けられた第１留め具と着脱自在に係合されることを特徴とする請求項２に記載の手提げ袋。
【請求項４】
前記正面シートの底部側には、前記第１留め具とは別の第２留め具が設けられており、
前記係合ベルトは、前記袋体が折り畳まれたときに、前記第２留め具と着脱自在に係合することを特徴とする請求項３に記載の手提げ袋。
【請求項５】
前記収納部は、お薬手帳に合わせた大きさに形成されていることを特徴とする請求項１から４のいずれかに記載の手提げ袋。
【請求項６】
袋体と、
前記袋体に設けられる収納部と、を備え、
前記収納部は、外部から収納物を視認できるよう構成されていることを特徴とする手提げ袋。
【発明の詳細な説明】
【技術分野】
【０００１】
本発明は手提げ袋に関する。
【背景技術】
【０００２】
最近では、患者に処方した薬剤の名前・用法・容量等の薬歴情報を記録する「お薬手帳」とよばれる手帳が流通している。薬剤師等は、患者が持参したお薬手帳を見ることにより、その患者の薬歴情報を知ることができ、重複投与・相互作用を確認して、薬を安全・適正に処方することができる。
【先行技術文献】
【特許文献】
【０００３】
【特許文献１】特開２００３−１８０７９８号公報
【発明の概要】
【発明が解決しようとする課題】
【０００４】
しかしながら、現状では、持参忘れ等によって、薬局を訪れる患者がお薬手帳を携帯していない場合が多い。患者がお薬手帳を持参していない場合、薬剤師は、薬歴情報に基づいた適切な対応を行うことができない。
【０００５】
本発明はこうした状況に鑑みてなされたものであり、お薬手帳の不携帯を抑止できる手提げ袋を提供することにある。
【課題を解決するための手段】
【０００６】
上記課題を解決するために、本発明のある態様の手提げ袋は、正面シートと背面シートとによって構成される袋体と、正面シートの開口部側の端部の略中央に設けられる収納部と、を備える。収納部は、外部から収納物が視認可能に構成されている。
【０００７】
本発明の別の態様は、手提げ袋である。この手提げ袋は、袋体と、袋体に設けられる、お薬手帳を収納するための収納部と、を備える。収納部は、収納されるお薬手帳を外部から視認可能に構成されている。
【発明の効果】
【０００８】
本発明によれば、お薬手帳の不携帯を抑止できる手提げ袋を提供できる。
【図面の簡単な説明】
【０００９】
【図１】実施の形態に係る手提げ袋を示す正面側斜視図である。
【図２】実施の形態に係る手提げ袋を示す背面側斜視図である。
【図３】図３（ａ）〜（ｃ）は、手提げ袋を折り畳む様子を示す図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
実施の形態に係る手提げ袋の概要を説明する。
実施の形態に係る手提げ袋は、処方された薬、その薬についての説明書等を収容する袋体に加え、お薬手帳を収納するための収納部を備える。この収納部は、収納されたお薬手帳を外部から視認できるよう構成される。このように、外部から視認できる位置で、かつ、決まった位置にお薬手帳が収納されることにより、お薬手帳を忘れている場合に気づきやすくなる。その結果、持参忘れ等によるお薬手帳の不携帯が抑止される。以下、手提げ袋について詳細に説明する。
【００１２】
図１、図２は、実施の形態に係る手提げ袋１０を示す正面側斜視図および背面側斜視図である。図１では、お薬手帳を収納した状態を示している。手提げ袋１０は、袋体２０と、手提げ部３０と、収納部４０と、係合ベルト５０と、を備える。袋体２０は、マチを有さない平袋であり、正面シート２１と背面シート２２とから構成される。なお、本実施の形態では、収納部４０が設けられる側を「正面」と定義している。もちろん、「正面」と「背面」とを逆に定義してもよい。また別の表現を用いて定義してもよい。
【００１３】
袋体２０には、処方された薬等が収納される。袋体２０は、正面から見て略矩形状に形成されている。つまり、正面シート２１と背面シート２２とは略矩形状に形成されている。より具体的には手提げ袋１０は、Ａ４サイズに合わせた大きさに形成されている。これにより例えば、処方された薬についての説明が記載されたＡ４サイズの説明書を折り畳まずに収納することができる。袋体２０は、小さく折り畳むことができるよう、比較的柔らかい素材から形成される。例えば袋体２０は、ナイロン不織布、ポリエステル不織布、その他の不織布から形成される。
【００１４】
正面シート２１の外面の底部１２側の略中央には、雄状面ファスナー２３が取り付けられている。また、背面シート２２の外面の開口部１１側の端部の略中央付近にも、雄状面ファスナー２４が取り付けられている。係合ベルト５０に設けられた雌状面ファスナー５１（後述）がこれらに着脱自在に留められる。
【００１５】
正面シート２１の外面の開口部１１側の端部の略中央には、お薬手帳を収納する収納部４０が設けられる。収納部４０は、お薬手帳を収納できる大きさに形成される。お薬手帳の大半がＡ６サイズであるため、ここではＡ６サイズに合わせた大きさに形成される。なお図１では、収納部４０は、お薬手帳を横向きに収容できるよう形成されているが、もちろん、縦向きに収容できるよう形成されてもよい。
【００１６】
収納部４０は、収容されたお薬手帳が外部から視認できるよう構成されている。本実施の形態では、収納部４０は、略矩形状の透明の樹脂シート４１の下方の縁および両サイドの縁の三辺が正面シート２１に固定されることにより形成される。つまり、正面シート２１の外面の一部と透明の樹脂シート４１とによって収納部４０が構成される。なお、より具体的には、樹脂シート４１は、その上側の縁が正面シート２１の開口部１１側の端部の略中央に位置するよう固定される。
【００１７】
収納部４０の開口部４２は、袋体２０の開口部１１と同じ側に設けられ、そこからお薬手帳を出し入れできる。なお収納部４０は、収容されたお薬手帳が外部から視認できればよく、例えば矩形状のメッシュ地の不織布シートが正面シート２１に固定されることにより構成されてもよい。
【００１８】
手提げ部３０は、第１手提げ部３１と、第２手提げ部３２と、を含む。第１手提げ部３１は正面シート２１に対して略ループ状になるよう取り付けられる。同様に、第２手提げ部３２は背面シート２２に対して略ループ状になるよう取り付けられる。第１手提げ部３１および第２手提げ部３２は、例えば袋体２０と同じ素材により形成される。また、これらの長さは、手に提げるのに適した長さに形成される。もちろん、腕に通して肩に掛けられる長さに形成されてもよく、長さを調整できるよう形成されてもよい。
【００１９】
係合ベルト５０は細長いベルト状を有し、その一端は収納部４０を構成する樹脂シート４１に固定される。係合ベルト５０の他端には、雌状面ファスナー５１が設けられている。係合ベルト５０は背面シート２２側に折り曲げられ、背面シート２２の外面に設けられた雄状面ファスナー２４に着脱自在に留められる。これにより、袋体２０の開口部１１と、収納部４０の開口部４２とが開かないように閉じられ、お薬手帳や薬等を誤って落とす危険性が低減される。また、係合ベルト５０は、手提げ袋１０を折りたたんだときに、正面シート２１の外面に設けられた雄状面ファスナー２３に着脱自在に留められる。
【００２０】
次に、手提げ袋１０を折り畳む場合について説明する。図３（ａ）〜（ｃ）は、手提げ袋１０を折り畳む様子を示す図である。まず、図３（ａ）に示すように、第１手提げ部３１および第２手提げ部３２を背面シート２２の外面上に折り曲げる。次に、図３（ｂ）に示すように、袋体２０の両サイドそれぞれを、収納部４０に沿って背面シート２２側に折り畳む。最後に、図３（ｃ）に示すように、底部１２と開口部１１とが合わさるように折り畳み、係合ベルト５０の雌状面ファスナー５１と、正面シート２１に設けられた雄状面ファスナー２３とを留める。このようにして、手提げ袋１０を折り畳むことができる。薬局等に向かうときなど薬を調剤してもらう前は、コンパクトにして持ち運ぶことができる。
【００２１】
以上説明した本実施の形態に係る手提げ袋１０によると、収納部４０に収納されたお薬手帳が外部から視認できるため、手提げ袋１０にお薬手帳が入っているか否かが容易に確認できる。また、外部から視認できる位置で、かつ、決まった位置にお薬手帳が収納されることにより、お薬手帳を忘れている場合に気づきやすくなる。その結果、お薬手帳の不携帯が抑止される。また、本実施の形態に係る手提げ袋１０によると、袋体２０に処方された薬やその薬の説明書を収納できる。このため、薬局等で渡されるいわゆるレジ袋が不要となり、環境負荷の低減に貢献できる。
【００２２】
以上、本発明を実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。また、これらの実施の形態と以下の変形例との組合せによって生じる新たな実施の形態は、組み合わされる実施の形態および変形例それぞれの効果をあわせもつ。
【００２３】
実施の形態では、袋体２０はマチを有さない平袋である場合について説明したが、これに限られず、例えば側面および／または底面にマチを有するガゼット袋であってもよい。
【００２４】
実施の形態では、正面シート２１の外面の一部と、透明の樹脂シート４１とによって収納部４０が構成される場合について説明したが、これに限られない。例えば収納部４０を正面シート２１とは別体として構成し、これを面状ファスナーやその他の手段により正面シート２１に取り付けてもよい。
【００２５】
実施の形態では、係合ベルト５０に雌状面ファスナー５１が設けられ、正面シート２１に雄状面ファスナー２３が、背面シート２２に雄状面ファスナー２４が設けられる場合について説明したが、これに限られない。例えば、これらの雄雌が逆であってもよい。また、面ファスナーに限らず、例えばスナップボタン、マグネット、その他の手段により、係合ベルト５０と正面シート２１または背面シート２２とが留められてもよい。
【００２６】
実施の形態では、手提げ袋１０は、正面から見て略矩形状に形成されている場合について説明したが、これに限られない。例えば、手提げ袋１０は、正面から見て略台形状、略半円状、その他の形状に形成されていてもよい。
【００２７】
実施の形態において、正面シート２１の外面、背面シート２２の外面、または樹脂シート４１、の任意の位置に、薬局の名前やホームページアドレス等の広告を印刷されてもよい。
【００２８】
実施の形態において、正面シート２１の外面の、樹脂シート４１と対向する部分に、お薬手帳を持参しているか否かの確認を促すメッセージ等が印刷されてもよい。収納部４０にお薬手帳が収容されていないときにこのメッセージが見えるため、忘れている場合により一層気づきやすくなる。
【００２９】
実施の形態では、収納部４０が、正面シート２１の外面の開口部１１側の端部の略中央に設けられる場合について説明したが、これに限られない。収納部４０は、例えば、底部１２側に偏った位置に設けられてもよい。
【００３０】
実施の形態では、収納部４０は、正面シート２１の外面側に設けられる場合について説明したが、これに限られない。例えば収納部４０は、正面シート２１の内面側、すなわち袋体２０内部に設けられてもよい。この場合、収納部４０に収容されたお薬手帳を外部から視認できるように、正面シート２１の収納部４０に対応する部分を、例えば透明な樹脂によって形成したり、またはその部分をメッシュ地によって形成すればよい。
【００３１】
実施の形態では、係合ベルト５０の一端が収納部４０に固定される場合について説明したが、これに限られない。例えば、係合ベルト５０の一端は、正面シート２１の外面に固定されてもよい。より具体的には、係合ベルト５０の一端は、収納部４０より下方で、かつ、雄状面ファスナー２３より上方の位置において、正面シート２１に固定されてもよい。この場合、固定位置を下方にずらした分だけ係合ベルト５０を長くすればよい。
【００３２】
また例えば、係合ベルト５０の一端は背面シート２２に固定されてもよい。この場合、係合ベルト５０の雌状面ファスナー５１が留められる雄状面ファスナー２４は、収納部４０あるいは正面シート２１に設けられればよい。また、雄状面ファスナー２３が雄状面ファスナー２４の機能を兼用してもよい。
【符号の説明】
【００３３】
１０  手提げ袋、  ２０  袋体、  ２１  正面シート、  ２２  背面シート、  ３０  第１手提げ部、  ３２  第２手提げ部、  ４０  収納部、  ５０  係合ベルト、  ５１  雌状面ファスナー。
【図１】
2014181060.tif 000003
【図２】
2014181060.tif 000004
【図３】
2014181060.tif 000005